(57)【特許請求の範囲】
【請求項１】
先端に掘削ビットを備えたハンマーを円筒状のケーシングに挿入して取り付け、回転する掘削ビットにハンマーで繰り返し打撃を加えながら地盤を所定深さに掘削し、ケーシングからハンマーと掘削ビットを撤去した後に立設しようとする柱状物をケーシング内に挿入し、削孔からケーシングを引き上げて地盤と柱状物の間の空隙を充填して柱状物を立設する工事に用いられる掘削用ケーシングにおいて、その掘削用ケーシングは、円筒体を軸線方向に２分割し、その分割した各半円筒体を互いに蝶番で開閉可能に連結し、各半円筒体の自由端側の外面にフランジを頭部に備えたピンをそれぞれ突設した構造で、ピンが挿入できる内径の第１ピン穴及び第２ピン穴を前記ピン間の間隔と同間隔に開口し、第２ピン穴は下方へ切り欠いて開放させた構造の連結金具を備え、しかも連結金具の第１ピン穴の下部にＬ字溝をピンが通過できる幅に切り欠くとともに、そのＬ字溝の先端にピンのフランジが通過できる内径のフランジ穴を開口し、その連結金具の第１ピン穴を一方のピンに掛け、そのピンを軸に回動させて他方のピンに第２ピン穴を上方から掛けて連結できるようにしたことを特徴とする、掘削用ケーシングの構造。
【請求項２】
連結金具が、ケーシングの曲面と同じ曲率の薄板状である、請求項１記載の掘削用ケーシングの構造。
【請求項３】
各半円筒体の蝶番に近接する上端部位置に吊り用の引掛穴を開口した、請求項１又は２いずれか記載の掘削用ケーシングの構造。
【発明の詳細な説明】
【技術分野】
【０００１】
本発明は、電柱等の柱工事に用いられるケーシングに関する。
【背景技術】
【０００２】
電柱等の柱工事は、先端に掘削ビットを備えたハンマーを筒状のケーシングに挿入して取り付け、モーターで回転する掘削ビットの基部にハンマーで繰り返し打撃を加えて地盤を所定深さに掘削し、ケーシングからハンマーと掘削ビットを撤去した後にケーシング内に立設しようとする柱状物を挿入し、ケーシングを引き上げて地盤と柱状物の間の空隙にコンクリート等を充填することで施工されている。
【０００３】
この工事に用いられるケーシングとしては、円筒体を軸線方向に２分割し、その分割した各半円筒体を互いに蝶番で開閉可能に連結した分割開閉式の構造が提案されている（例えば特許文献１，２参照）。これらの技術は、地表に引き上げたケーシングを分割することで、柱状物の上端まで引き上げたり途中で切断することなく回収が迅速に行え、再使用も可能である、という利点がある。
【０００４】
ところで、前記特許文献１に記載の技術では、半円筒体の自由端（蝶番側ではない方）同士は多数のボルトで連結する構造であるから、連結・分割作業に時間を要していた。また、そのボルトを取り付けるためのフランジが外面から大きく突出しているから、掘削時の抵抗となっていた。
【０００５】
また、前記特許文献２に記載の技術では、一方の半円筒体の自由端の内面にフラットバーを溶接し、そのフラットバーで他方の半円筒体の自由端内面を支える構造であるから、半円筒体同士は固定されておらず、掘削時や引き上げ時にケーシングがガタついて不安定になることがあった。
【先行技術文献】
【特許文献】
【０００６】
【特許文献１】特開平５−１２５７２８号公報
【特許文献２】実用新案登録第３１３６５４４号公報
【発明の概要】
【発明が解決しようとする課題】
【０００７】
本発明が解決しようとする課題は、従来のこれらの問題点を解消し、半円筒体同士を短時間でガタつきなく強固に固定することにある。
【課題を解決するための手段】
【０００８】
かかる課題を解決した本発明の構成は、
１）  先端に掘削ビットを備えたハンマーを円筒状のケーシングに挿入して取り付け、回転する掘削ビットにハンマーで繰り返し打撃を加えながら地盤を所定深さに掘削し、ケーシングからハンマーと掘削ビットを撤去した後に立設しようとする柱状物をケーシング内に挿入し、削孔からケーシングを引き上げて地盤と柱状物の間の空隙を充填して柱状物を立設する工事に用いられる掘削用ケーシングにおいて、その掘削用ケーシングは、円筒体を軸線方向に２分割し、その分割した各半円筒体を互いに蝶番で開閉可能に連結し、各半円筒体の自由端側の外面にフランジを頭部に備えたピンをそれぞれ突設した構造で、ピンが挿入できる内径の第１ピン穴及び第２ピン穴を前記ピン間の間隔と同間隔に開口し、第２ピン穴は下方へ切り欠いて開放させた構造の連結金具を備え、しかも連結金具の第１ピン穴の下部にＬ字溝をピンが通過できる幅に切り欠くとともに、そのＬ字溝の先端にピンのフランジが通過できる内径のフランジ穴を開口し、その連結金具の第１ピン穴を一方のピンに掛け、そのピンを軸に回動させて他方のピンに第２ピン穴を上方から掛けて連結できるようにしたことを特徴とする、掘削用ケーシングの構造
２）  連結金具が、ケーシングの曲面と同じ曲率の薄板状である、前記１）記載の掘削用ケーシングの構造
３）  各半円筒体の蝶番に近接する上端部位置に吊り用の引掛穴を開口した、前記１）又は２）いずれか記載の掘削用ケーシングの構造
にある。
【発明の効果】
【０００９】
本発明の前記１）記載の構成によれば、連結時は、一方のピンを軸に連結金具を回動させ、他方のピンに第２ピン穴を上方から掛けることで半円筒体同士を連結する。分割時は、連結金具を逆方向へ回動させ、他方のピンから第２ピン穴を離すことで半円筒体同士を分割できる。したがって、連結・分割作業が短時間で容易に行うことができる。また、第１ピン穴及び第２ピン穴間の間隔はピン間の間隔と同じで、且つピンは頭部にフランジを有しているから、連結状態が強固で掘削時や引き上げ時にガタつきがないものとなる。
【００１０】
更に、本発明によれば、ピンをＬ字溝に通過させてフランジをフランジ穴から外すことで、不使用時に連結金具をピンから取り外して保管できる。ケーシングを直ぐに再使用する場合は、連結金具の第１ピン穴を一方のピンに掛けたままにする。
【００１１】
本発明の前記２）記載の構成によれば、掘削時とケーシングの引き上げ時に地盤との抵抗が少ないものとなる。
【００１２】
本発明の前記３）記載の構成によれば、引き上げたケーシングから連結金具を外して吊り上げる際、ワイヤーと左右の引掛穴を連結したシャックル等の吊り具が近接方向へ引っ張られてケーシングが自然に分割される。したがって、重量を有するケーシングを分割されるように手作業で誘導する必要がなく、作業性が良好なものとなる。
【図面の簡単な説明】
【００１３】
【図１】実施例のケーシングの蝶番側の側面図である。
【図２】実施例のケーシングのピン側の側面図である。
【図３】実施例のケーシングの平面図である。
【図４】実施例の連結金具の正面図である。
【図５】図４のＡ−Ａ線断面図である。
【図６】実施例の連結金具の脱着を示す説明図である。
【図７】実施例の掘削を示す説明図である。
【図８】実施例の他の例の掘削を示す説明図である。
【図９】実施例のケーシングの吊り上げを示す説明図である。
【発明を実施するための形態】
【００１４】
以下、本発明を実施するための形態を実施例と図面に基づいて具体的に説明する。
【実施例】
【００１５】
図１は実施例のケーシングの蝶番側の側面図、図２は実施例のケーシングのピン側の側面図、図３は実施例のケーシングの平面図、図４は実施例の連結金具の正面図、図５は図４のＡ−Ａ線断面図、図６は実施例の連結金具の脱着を示す説明図、図７は実施例の掘削を示す説明図、図８は実施例の他の例の掘削を示す説明図、図９は実施例のケーシングの吊り上げを示す説明図である。
【００１６】
図中、１はケーシング、１１は半円筒体、１２は蝶番、１３はピン、１４はフランジ、１５は引掛穴、２は連結金具、２１は第１ピン穴、２２はＬ字溝、２３はフランジ穴、２４は第２ピン穴、２５は開放部、３は吊り具、４はモーター、５はエアースイベル、６はダウンザホールハンマー、６１はハンマーピストン、６２はハンマーカバー、６３は打込みロッド、７は掘削ビット、８はシャックル、８１はワイヤー、Ａは柱状物、Ｇは地盤、Ｓは削孔である。
【００１７】
本実施例のケーシング１は、図１〜３に示すように、長さ２５００ｍｍの円筒体を軸線方向に２分割し、その分割した各半円筒体１１を互いに６個の蝶番１２で開閉可能に連結している。各半円筒体１１の自由端（蝶番１２側ではない方）の外面にはフランジ１４を頭部に備えたピン１３を突設し、これを上下に６組設けている。ピン１３の高さは２０ｍｍ、外径は１０ｍｍ、フランジ１４の外径は２０ｍｍである。各半円筒体１１を閉じた状態のピン１３間の間隔は６０ｍｍである。各半円筒体１１の蝶番１２に近接する上端部位置には引掛穴１５をそれぞれ開口している。
【００１８】
連結金具２は、図４，５に示すように、ケーシング１の曲面と同じ曲率に形成した厚さ６ｍｍの薄板で、内径１２ｍｍの第１ピン穴２１及び第２ピン穴２４を６０ｍｍの間隔をおいて開口し、第２ピン穴２４は下方へ拡幅するように下端まで切り欠いて開放部２５を形成している。第１ピン穴２１は下方から中間方向へ曲折するＬ字溝２２を幅１２ｍｍに切り欠くとともに、そのＬ字溝２２の先端に内径２０ｍｍのフランジ穴２３を開口している。なお、前記に示した寸法や間隔の数値は一例であって、これに限定されるものではない。
【００１９】
本実施例では、ワイヤー８１の先端と各半円筒体１１の引掛穴１５をシャックル８でそれぞれ連結してクレーン（図示せず）で吊り、掘削ビット７を先端に備えたダウンザホールハンマー６に各半円筒体１１を覆うようにしてケーシング１を取り付ける。そして、図６に示すように、連結金具２のフランジ穴２３をケーシング１の右側のピン１３のフランジ１４に通し、Ｌ字溝２２を通過させて第１ピン穴２１を右側のピン１３に掛け、その右側のピン１３を軸に連結金具２を半時計回りに回動させて左側のピン１３を開放部２５に通し、第２ピン穴２４を左側のピン１３に上方から掛けて連結する。
【００２０】
図７に示すように、ダウンザホールハンマー６の上部に備えたモーター４で掘削ビット７を回転させながら、その掘削ビット７の基部にハンマーピストン６１で繰り返し打撃を加えて地盤Ｇを掘削する。このとき、連結金具２がケーシング１の曲面と同じ曲率の薄板であるから、地盤Ｇとの抵抗が少ないものとなる。
【００２１】
図７に示すのは、掘削ビット７がケーシング１の下端内面の段差に係止することでケーシング１を押し下げて地盤Ｇに埋入する方法であるが、図８に示すように、掘削ビット７がケーシング１の内側に配置される構造では、ハンマーカバー６２の上端部に打込みロッド６３を貫通し、その打込みロッド６３でケーシング１の上端を押し下げて地盤Ｇに埋入する。
【００２２】
所定深さに掘削すると、ケーシング１からダウンザホールハンマー６と掘削ビット７を撤去し、ケーシング１を削孔Ｓから引き上げる。ケーシング１の全面が地表に現れると、連結金具２を連結時とは逆方向へ回動させて左側のピン１３から第２ピン穴２４を離す。
【００２３】
連結を解除したケーシング１をさらに吊り上げると、図９に示すように、左右のシャックル８が近接方向へ引っ張られてケーシング１が自然に分割する。よって、ケーシング１を直ぐに回収することができ、柱状物Ａの上端まで引き上げたり途中で切断する必要がない。また、重量を有するケーシング１を分割されるように手作業で誘導する必要がなく、作業性が良好なものとなる。その後、地盤Ｇと柱状物Ａの間にコンクリート等を充填する。
【産業上の利用可能性】
【００２４】
本発明の技術は、電柱等の柱工事に利用される。
【符号の説明】
【００２５】
１    ケーシング
１１  半円筒体
１２  蝶番
１３  ピン
１４  フランジ
１５  引掛穴
２    連結金具
２１  第１ピン穴
２２  Ｌ字溝
２３  フランジ穴
２４  第２ピン穴
２５  開放部
３    吊り具
４    モーター
５    エアースイベル
６    ダウンザホールハンマー
６１  ハンマーピストン
６２  ハンマーカバー
６３  打込みロッド
７    掘削ビット
８    シャックル
８１  ワイヤー
Ａ    柱状物
Ｇ    地盤
Ｓ    削孔
【図１】
0005679450.tif 000002
【図２】
0005679450.tif 000003
【図３】
0005679450.tif 000004
【図４】
0005679450.tif 000005
【図５】
0005679450.tif 000006
【図６】
0005679450.tif 000007
【図７】
0005679450.tif 000008
【図８】
0005679450.tif 000009
【図９】
0005679450.tif 000010